(57)【要約】      （修正有）【課題】衣服として縫製される布地に伸び防止用のスピンテープが縫い合わされる縫製において、糸が切れにくく洗濯後の伸び止めの効果を維持できる縫製構造を提供する。【解決手段】第１の縫製において、スピンテープ１１の裏面１１ｂが、布地１０の縫い代を含む裏面１０ｂに合わされ、そして、スピンテープ１１が、布地に、オーバーミシン縫製で縫い合わされる。第２の縫製において、第１の縫製で布地１０に縫い合わされたスピンテープ１１の表面１１ａが、裾Ｓとなる部分を折山として２つ折りにされ、布地１０の裏面１０ｂに合わされ、そして、第１の縫製で縫い合わされた布地１０とスピンテープ１１が、２つ折りにされた布地１０に、平２本針ミシン縫製ＨＭで縫い合わされる。【選択図】図２
0003212496.tif 000002
【実用新案登録請求の範囲】
【請求項１】
衣服として縫製される布地に伸び防止用のスピンテープが縫い合わされる縫製構造であって、
前記スピンテープの裏面が、前記布地の縫い代を含む裏面に合わされ、
前記スピンテープが、前記布地に、オーバーミシン縫製で縫い合わされる第１の縫製と、
前記第１の縫製により、前記布地に縫い合わされた前記スピンテープの表面が、裾となる部分を折山として２つ折りにされ前記布地の裏面に合わされ、
前記第１の縫製で縫い合わされた前記布地と前記スピンテープが、前記２つ折りにされた布地に、平２本針ミシン縫製または引きミシン縫製で縫い合わされる第２の縫製と、を含み、
前記第１の縫製と前記第２の縫製は、前記スピンテープの長手方向と前記布地の地の目の方向が略直角となるようにして縫い合わされることを特徴とする縫製構造。
【請求項２】
前記裾は、見頃裾または手口であることを特徴とする請求項１に記載の縫製構造。
【考案の詳細な説明】
【技術分野】
【０００１】
本考案は、縫製構造に関する。
【背景技術】
【０００２】
布地の縫製において、裾などの伸びを抑制するものとしてスピンテープが用いられている。
【考案の概要】
【考案が解決しようとする課題】
【０００３】
上記のスピンテープは、布地に縫い付けられ伸び止めとして用いられている。このスピンテープを、カット＆ソーの裾・手口の洗濯後の寸法の安定の為、この様な縫製構造が求められている。
【０００４】
そこで本考案は、このような課題を解決するためになされたもので、衣服として縫製される布地に伸び防止用のスピンテープが縫い合わされる縫製において、糸が切れにくく洗濯後の伸び止めの効果を維持できる縫製構造を提供する。
【課題を解決するための手段】
【０００５】
上記課題を解決するために、本考案に係る縫製構造は、衣服として縫製される布地に伸び防止用のスピンテープが縫い合わされる縫製構造であって、前記スピンテープの裏面が、前記布地の縫い代を含む裏面に合わされ、前記スピンテープが、前記布地に、オーバーミシン縫製で縫い合わされる第１の縫製と、前記第１の縫製により、前記布地に縫い合わされた前記スピンテープの表面が、裾となる部分を折山として２つ折りにされ前記布地の裏面に合わされ、前記第１の縫製で縫い合わされた前記布地と前記スピンテープが、前記２つ折りにされた布地に、平２本針ミシン縫製または引きミシン縫製で縫い合わされる第２の縫製と、を含み、前記第１の縫製と前記第２の縫製は、前記スピンテープの長手方向と前記布地の地の目の方向が略直角となるようにして縫い合わされることを特徴とする。
【０００６】
本考案に係る縫製構造の態様について、前記裾は、見頃裾または手口であることが好ましい。
【考案の効果】
【０００７】
本考案は、衣服として縫製される布地に伸び防止用のスピンテープが縫い合わされる縫製において、糸が切れにくく洗濯後の伸び止めの効果を維持できる縫製構造を提供することができる。
【図面の簡単な説明】
【０００８】
【図１】実施形態の縫製構造の第１の縫製を示す模式図である。
【図２】実施形態の縫製構造の第２の縫製を布地の裏面から見た模式図である。
【図３】実施形態の縫製構造の第２の縫製を布地の表面から見た模式図である。
【考案を実施するための形態】
【０００９】
以下、本考案の実施形態として、衣服として縫製される布地に伸び防止用のスピンテープが、縫い合わされる縫製構造について図１から図３を用いて説明する。
【００１０】
実施形態の縫製構造は、第１の縫製と第１の縫製の後に施される第２の縫製を含み、布地１０の伸びを、スピンテープ１１を用いて効果的に防止するものである。
【００１１】
図１（ａ）は、布地１０の裏面１０ｂにスピンテープ１１が縫い合わされている状態を示しており、図１（ｂ）は、図１（ａ）のＡ−Ａ断面図を示している。この断面図において、布１０及びスピンテープ１１の厚さは、説明の便宜上実際のものより大きなものとなっており、また、図２及び図３で示す断面図においても同様に、布１０及びスピンテープ１１の厚さは、説明の便宜上実際のもより大きなものとなっている。
【００１２】
図１に示すとおり、第１の縫製において、スピンテープ１１の裏面１１ｂが、布地１０の縫い代を含む裏面１０ｂに合わされる。
【００１３】
そして、スピンテープ１１が、布地１０に、オーバーミシン縫製ＯＭで縫い合わされる。このとき、スピンテープ１１の長手方向と布地１０の地の目Ｍの方向が略直角となるようにして縫い合わされている。なお、この例では、オーバーミシンを採用しているが、これに限定されず適宜最適な縫製であればよい。
【００１４】
図２（ａ）は、布地１０の裏面１０ｂに、第１の縫製でスピンテープ１１が縫い合わされた部分が２つ折りにされ再度縫い合わされている状態を示しており、図２（ｂ）は、図２（ａ）のＢ−Ｂ断面図を示している。
【００１５】
図３（ａ）は、布地１０の表面１０ａに、第１の縫製でスピンテープ１１が縫い合わされた部分が２つ折りにされ再度縫い合わされている状態を示しており、図３（ｂ）は、図３（ａ）のＣ−Ｃ断面図を示している。
【００１６】
図２及び図３に示すとおり、第２の縫製において、第１の縫製で布地１０に縫い合わされたスピンテープ１１の表面１１ａが、裾Ｓとなる部分を折山として２つ折りにされ、布地１０の裏面１０ｂに合わされる。
【００１７】
そして、第１の縫製で縫い合わされた布地１０とスピンテープ１１が、２つ折りにされた布地１０に、平２本針ミシン縫製ＨＭで縫い合わされる。このとき、スピンテープ１１の長手方向と布地１０の地の目Ｍの方向が略直角となるようにして縫い合わされており、布地１０の伸びを防止する構成となっている。なお、この例では、平２本針ミシンを採用しているが、これに限定されず引きミシン縫製でもよく適宜最適な縫製であればよい。なお、裾Ｓの一例としては、見頃裾、手口などがある。
【００１８】
上記のとおり、実施形態の布地１０とスピンテープ１１の縫製構造は、第１の縫製で、スピンテープ１１を布地１０にオーバーミシンで下縫いし、その後第２の縫製で布地１０に挟まれている状態のスピンテープ１１を、例えば、平２本針ミシンで押さえ、または引きミシンで始末することにより、糸のほつれを無くすことができ、且つ、糸が切れにくく洗濯後の伸び止めの効果を維持できるものである。
【００１９】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２０】
また、本考案の縫製構造に係る布地及びスピンテープの大きさや形状、素材の厚さ、重さなど、また、これらに対するミシンを用いた縫製については、多様な実施形態が可能であり、それらについて本実施形態と異なる形態による実施は、本考案の技術的範囲に含まれる。
【符号の説明】
【００２１】
１０      布地
１０ａ    表面
１０ｂ    裏面
１１      スピンテープ
１１ａ    表面
１１ｂ    裏面
Ｓ        裾
Ｍ        地の目
ＯＭ      オーバーミシン縫製
ＨＭ      平２本針ミシン縫製
【図１】
0003212496.tif 000003
【図２】
0003212496.tif 000004
【図３】
0003212496.tif 000005